(57)【要約】【課題】丸みを帯びた形状のコーナー寸法を容易に測定するコーナー寸法測定用ゲージを提供する。【解決手段】コーナー寸法測定用ゲージ１は、透明或いは半透明の素材で板状に形成されたコーナー寸法測定用ゲージであって、直交するように配置された２直線２１（２１ａ，２１ｂ）と、前記２直線２１（２１ａ，２１ｂ）を接線とし、半径が異なる複数の円弧２０（２００〜２５９）と、前記円弧２０（２００〜２５９）の径寸法を示す第１径目盛２２と、を有する第１径寸法測定部２、を備えて表示する。【選択図】図２
2011191136.tif 000002
【特許請求の範囲】
【請求項１】
透明或いは半透明の素材で板状に形成されたコーナー寸法測定用ゲージであって、
直交するように配置された２直線と、
前記２直線を接線とし、半径が異なる複数の円弧と、
前記円弧の径寸法を示す第１径目盛と、
を有する第１径寸法測定部、
を備えて表示したことを特徴とするコーナー寸法測定用ゲージ。
【請求項２】
前記第１径寸法測定部は、前記２直線に沿って配置され、前記直線それぞれの配置位置を示すように印された直線位置指示部を有することを特徴とする請求項１に記載のコーナー寸法測定用ゲージ。
【請求項３】
前記第１径寸法測定部は、前記２直線の角の２等分線を示す第１中心基準位置部を有することを特徴とする請求項１または２に記載のコーナー寸法測定用ゲージ。
【請求項４】
前記第１径目盛が前記第１中心基準位置部を構成していることを特徴とする請求項３に記載のコーナー寸法測定用ゲージ。
【請求項５】
同心円状に配置された複数の円と、
前記円の径寸法を示す第２径目盛と、
を有する第２径寸法測定部、
を備えて表示したことを特徴とする請求項１〜４のいずれかに記載のコーナー寸法測定用ゲージ。
【請求項６】
直交するように配置された２直線と、
前記直線の長さを示す直線目盛と、
を有する直線測定部、
を備えて表示したことを特徴とする請求項１〜５のいずれかに記載のコーナー寸法測定用ゲージ。
【発明の詳細な説明】
【技術分野】
【０００１】
本発明は、丸みを帯びた形状のコーナー寸法を容易に測定することができるコーナー寸法測定用ゲージに関する。
【背景技術】
【０００２】
デスクやテーブル、カウンターなどの家具の天板を保護するための保護マットが一般的に広く知られている。
【０００３】
天板の大きさ及び形状は製品により多種多様であり、保護マットを天板の寸法に合わせるには、天板の型紙を取ったり、或いは天板の長さや幅、そしてコーナー寸法を測定する必要がある。
【０００４】
特許文献１には、透明な合成樹脂薄板などからなる定規本体に同心円の測定曲線を一定の間隔をもたせて多数表示したカーブ定規が開示されている。
【０００５】
このようなカーブ定規を使用すれば、天板のコーナー寸法を測定することが考えられる。
【先行技術文献】
【特許文献】
【０００６】
【特許文献１】実開昭５７−２０３３０１号公報
【発明の概要】
【発明が解決しようとする課題】
【０００７】
しかしながら、特許文献１のカーブ定規では、測定対象である天板のコーナー部に対してカーブ定規の多数の同心円の測定曲線を順に合わせていき、一致するものを探す必要があるため測定が煩雑である。
【課題を解決するための手段】
【０００８】
本発明は、上述した技術背景に鑑み、丸みを帯びた形状のコーナー寸法を容易に測定することができるコーナー寸法測定用ゲージの提供を目的とする。
【０００９】
即ち、本発明は下記［１］〜［６］に記載の構成を有する。
【００１０】
［１］  透明或いは半透明の素材で板状に形成されたコーナー寸法測定用ゲージであって、
直交するように配置された２直線と、
前記２直線を接線とし、半径が異なる複数の円弧と、
前記円弧の径寸法を示す第１径目盛と、
を有する第１径寸法測定部、
を備えて表示したことを特徴とするコーナー寸法測定用ゲージ。
【００１１】
［２］  前記第１径寸法測定部は、前記２直線に沿って配置され、前記直線それぞれの配置位置を示すように印された直線位置指示部を有することを特徴とする前項１に記載のコーナー寸法測定用ゲージ。
【００１２】
［３］  前記第１径寸法測定部は、前記２直線の角の２等分線を示す第１中心基準位置部を有することを特徴とする前項１または２に記載のコーナー寸法測定用ゲージ。
【００１３】
［４］  前記第１径目盛が前記第１中心基準位置部を構成していることを特徴とする前項３に記載のコーナー寸法測定用ゲージ。
【００１４】
［５］  同心円状に配置された複数の円と、
前記円の径寸法を示す第２径目盛と、
を有する第２径寸法測定部、
を備えて表示したことを特徴とする前項１〜４のいずれかに記載のコーナー寸法測定用ゲージ。
【００１５】
［６］  直交するように配置された２直線と、
前記直線の長さを示す直線目盛と、
を有する直線測定部、
を備えて表示したことを特徴とする前項１〜５のいずれかに記載のコーナー寸法測定用ゲージ。
【発明の効果】
【００１６】
上記［１］に記載のコーナー寸法測定用ゲージによれば、直交する２直線を天板の周縁の直線部分にそれぞれ合わせて、コーナーの形状に一致する円弧の目盛を読み取るだけで、非常に容易にコーナーの半径サイズを測定することができる。
【００１７】
上記［２］に記載のコーナー寸法測定用ゲージによれば、直線位置指示部によって視認性が向上して２直線の位置が際立つことで、天板の周縁の直線部分と前記２直線が合わせ易くなる。
【００１８】
上記［３］に記載のコーナー寸法測定用ゲージによれば、天板のコーナーの中央に第１中心基準位置部を合わせることで、コーナーの測定ができる。
【００１９】
上記［４］に記載のコーナー寸法測定用ゲージによれば、第１径目盛によって第１中心基準位置部が構成されることによって第１中心基準位置部の視認性が向上するので、コーナーの中央により合わせ易くなる。
【００２０】
上記［５］に記載のコーナー寸法測定用ゲージによれば、例えば、丸型の配線ダクトを測定する場合に、当該ダクトの径サイズに一致する同心円を読み取るだけでよく、測定が容易である。
【００２１】
上記［６］に記載のコーナー寸法測定用ゲージによれば、配線ダクトの直線部分の寸法、配置位置などの測定ができる。
【図面の簡単な説明】
【００２２】
【図１】本発明の一実施形態にかかる第１径寸法測定部、第２径寸法測定部及び直線測定部を備えたコーナー寸法測定用ゲージの全体図である。
【図２】図１における第１径寸法測定部の拡大図である。
【図３】図１における第２径寸法測定部の拡大図である。
【図４】図１における直線測定部の拡大図である。
【図５】図１における第１径寸法測定部による測定方法の一例としての説明図である。
【図６】図１における第２径寸法測定部による測定方法の一例としての説明図である。
【図７】図１における第２径寸法測定部および直線測定部による測定方法の一例としての説明図である。
【発明を実施するための形態】
【００２３】
図１に示す本発明の一実施形態であるコーナー寸法測定用ゲージ１は、デスクやテーブル、カウンターなどの家具に設けられた丸みを帯びた形状のコーナーを有する天板１００などの寸法を測定するゲージである。
【００２４】
例えば、前記天板１００の表面を保護する保護マットを、長方形或いは台形など様々な形状をした天板１００に適した大きさ及び形状で作成するには、天板１００の寸法を正確に測定しておく必要がある。しかし、丸みを帯びたコーナーを測定することは難しく、またその測定結果が不正確であることも少なくない。
【００２５】
前記コーナー寸法測定用ゲージ１であれば、前記天板１００の丸みを帯びた形状のコーナー寸法をより容易で正確に測定できるようになるのである。
【００２６】
前記コーナー寸法測定用ゲージ１は、透明或いは半透明の素材で、所定の厚さ（例えば、０．８ｍｍ）で板状に形成されている。そのため、天板１００の寸法を測定する際にも、天板１００が透けて見えるため測定し易い。
【００２７】
前記コーナー寸法測定用ゲージ１の素材には、例えば、合成樹脂などが採用される。例えば、オレフィン系樹脂などの柔軟性のある素材であることが好ましい。
【００２８】
前記コーナー寸法測定用ゲージ１は、第１径寸法測定部２と、第２径寸法測定部３及び直線測定部４を備えて表示されている。
【００２９】
図２に示すように、第１径寸法測定部２は、２つの直線２１（２１ａ，２１ｂ）と、半径が異なる複数の円弧２０を有している。
【００３０】
前記直線２１（２１ａ，２１ｂ）は直交するように配置されている。また、それぞれの直線２１は、複数の円弧２０全ての接線となっている。
【００３１】
さらに、第１径寸法測定部２は、前記円弧２００〜２５９の径寸法を示す第１径目盛２２を有している。
【００３２】
例えば、第１径寸法測定部２には、半径が所定間隔（例えば、５ｍｍ単位）で異なる円弧２００〜２５９が配置されている。また、第１径目盛２２として所定の間隔（例えば、１０ｍｍ単位）で各円弧２００〜２５９の半径を示す目盛数値が配置されている。尚、各円弧の径寸法を示す目盛数値は、直径を示す目盛数値であってもよい。
【００３３】
上述したように、コーナー寸法測定用ゲージ１は、直交するように配置された２直線２１と、前記２直線２１を接線とし、半径が異なる複数の円弧２０と、前記円弧の径寸法を示す第１径目盛２２と、を有する第１径寸法測定部２、を備えて表示している。
【００３４】
このような構成により、直交する２直線２１（２１ａ，２１ｂ)を天板の周縁の直線部分であるエッジにそれぞれ合わせて、コーナーの形状に一致する円弧の目盛を読み取るだけで、非常に容易にコーナーの半径サイズを測定することができる。
【００３５】
図３に示すように、第２径寸法測定部３は、同心円状に配置された複数の円３０と、前記円の径寸法を示す第２径目盛３１と、前記円の角度を示す角度目盛３２とを有している。
【００３６】
第２径目盛３１及び角度目盛３２は、例えば、同心円３０の中心を通って２分割した領域にそれぞれ設けられている。第２径目盛３１が配置された領域を径測定領域３Ａ、角度目盛３２が配置された領域を角度測定領域３Ｂとする。
【００３７】
前記径測定領域３Ａおよび角度測定領域３Ｂをそれぞれ別領域に設けているので視認性に優れ好ましいが、両測定領域を同一の領域に設けるのであってもよい。
【００３８】
例えば、第２径寸法測定部３には、所定間隔（例えば、５ｍｍ単位）で直径の異なる円３００〜３２９が同心円状に配置されている。
【００３９】
径測定領域３Ａには、第２径目盛３１として所定の間隔（例えば、１０ｍｍ単位）で各円３００〜３２９の直径を示す目盛数値が配置されている。また、角度測定領域３Ｂには、所定の角度範囲（例えば、０〜１８０°）に所定の間隔（例えば、５°単位）で目盛り線及び目盛数値が配置された角度目盛３２が設けられている。尚、各円３００〜３２９の径寸法を示す目盛数値は、半径を示す目盛数値であってもよい。
【００４０】
上述したように、コーナー寸法測定用ゲージ１は、同心円状に配置された円３０と、前記円３０の径寸法を示す第２径目盛３１と、前記円の角度を示す角度目盛３２と、を有する第２径寸法測定部３、を備えて表示している。
【００４１】
このような構成により、例えば、丸型の配線ダクトを測定する場合に、当該ダクトの径サイズに一致する同心円３０を読み取るだけでよく、測定が容易になるのである。
【００４２】
また、角度目盛３２を有しているので、特殊な形状の天板の角度を容易に測定できるようになるのである。
【００４３】
図４に示すように、直線測定部４は、直交するように配置された２直線４０（４０ａ，４０ｂ）と、前記直線４０（４０ａ，４０ｂ）の長さを示す直線目盛４１とを有している。
【００４４】
例えば、直線測定部４には、直線目盛４１として所定の間隔（例えば、１ｍｍ単位）で目盛線及び所定の間隔（例えば、５ｍｍ単位）で目盛数値が配置されている。
【００４５】
コーナー寸法測定用ゲージ１に直線測定部４を備えることで、直線部分が測定できるようになる。
【００４６】
図１に示すコーナー寸法測定用ゲージ１は、第１径寸法測定部２がコーナー寸法測定用ゲージ１の一角で直交する２直線２１ａ，２１ｂを有するように配置され、当該一角と対角をなす角に直線測定部４の直線４０ａ，４０ｂが直交するように配置されている。
（中心基準位置部と直線位置指示部）
図２に示すように、第１径寸法測定部２は、さらに直線位置指示部２４及び第１中心基準位置部２３を有している。
【００４７】
直線位置指示部２４は、直線２１（２１ａ，２１ｂ）に沿って配置されている。例えば、直線２１ａと、直線２１ａと平行なコーナー寸法測定用ゲージ１の一辺との間に、複数の三角形の頂点が直線２１に沿って直線２１ａを指し示すように表示されている。直線２１ｂに対しても同様である。
【００４８】
このように、直線位置指示部２４は、前記直線２１（２１ａ，２１ｂ）それぞれの配置位置を示すように印されている。
【００４９】
前記直線位置指示部２４によって視認性が向上して、２直線２１（２１ａ，２１ｂ）の位置が際立つことで天板１００のエッジ１０１，１０２と前記２直線２１（２１ａ，２１ｂ）を簡単に合わせることができる。直線２１の位置が一目瞭然となるので、複数の印が配置されていることが好ましい。
【００５０】
第１中心基準位置部２３は、第１径寸法測定部２の２本の直線２１ａ，２１ｂがなす角の２等分線、すなわち第１径寸法測定部２が有する全ての円弧２０の中心を通る直線を示している。この例では、第１中心基準位置部２３は、第１径目盛２２が構成している。
【００５１】
当該第１中心基準位置部２３は、測定対象である天板のコーナー部を測定する際の基準位置となるように印されている。第１中心基準位置部２３は、さらに、２本の直線２１ａ，２１ｂの交点位置を示す、例えば三角形のマークを有している。
【００５２】
例えば、円弧２０の丸みに沿う向きで第１中心基準位置部２３をコーナー部の中央に合わせる。そして、コーナー寸法測定用ゲージ１の第１中心基準位置部２３をコーナー部の中央に固定したままで第１中心基準位置部２３で示されるラインに沿って前後にすべらせ、コーナーの丸みと一致する円弧２００〜２５９を読み取ることもできる。
【００５３】
第１径目盛２２によって第１中心基準位置部２３が構成されることによって第１中心基準位置部２３の視認性が向上するので、コーナーの中央により合わせ易くなる。
【００５４】
図３に示すように、第２径寸法測定部３にも、前記第１径寸法測定部２と同様に第２中心基準位置部３３を設けている。
【００５５】
第２中心基準位置部３３は、第２径寸法測定部３が有する全ての同心円３０の中心を通る直線を示している。この例では、第２中心基準位置部３３は、第２径目盛３１が構成している。
【００５６】
当該第２中心基準位置部３３は、測定対象である天板１００のコーナー部を測定する際の基準位置となるように印されている。第２中心基準位置部３３は、さらに同心円３０の中心から同心円３０の外側の方向を示す、例えば三角形のマークを有している。
【００５７】
前記第２中心基準位置部３３は、角度目盛３２が配置された側とは別の領域である径測定領域３Ａに配置されている。
【００５８】
例えば、同心円３０の丸みに沿う向きで第２中心基準位置部３３を天板１００のコーナー中央に合わせる。そして、コーナー寸法測定用ゲージ１の第２中心基準位置部３３をコーナー部の中央に合わせて固定したままで、第２中心基準位置部３３で示されるラインに沿ってすべらせてコーナーの丸みと一致する円弧を読み取る。このように、第２径寸法測定部３でも天板１００のコーナー中央に第２中心基準位置部３３を合わせることで、コーナーの径寸法を測定することができる。
【００５９】
上述したような複数の測定部を用いて、以下のように測定することが出来るようになる。
（各コーナー等の測定について）
図５（ａ）に示すように、エッジ１０１，１０２が直交するように構成された天板１００であれば、第１径寸法測定部２に設けた直線２１ａを天板１００のエッジ１０１、他方の直線２１ｂをエッジ１０２にそれぞれ合わせる。
【００６０】
そうして、コーナー寸法測定用ゲージ１を２直線２１ａ，２１ｂとエッジ１０１，１０２に合わせたまますべらせることで、天板１００のコーナーに設けた丸みと一致する円弧の目盛を読み取る。
【００６１】
図５（ｂ）の読み取り部分拡大図における第１径目盛２２で示されるように、エッジ１０１，１０２がなすコーナーの丸みは、円弧２０４（２０）で示される半径２５ｍｍであることが容易に読み取れる。
【００６２】
図６（ａ）に示すように、天板１００のエッジ１０１，１０２が鋭角を形成するように構成されている場合には、第２径寸法測定部３の径測定領域３Ａを用いて測定することもできる。
【００６３】
天板１００のコーナーの中央に第２径寸法測定部３の第２中心基準位置部３３を合わせる。その状態でコーナー寸法測定用ゲージ１の第２中心基準位置部３３を基準として前後にすべらせて、天板１００のコーナーの丸みと一致する第２径寸法測定部３の同心円３０の径サイズを読み取る。
【００６４】
図６（ｂ）の読み取り部分拡大図における第２径目盛３１に示すように、エッジ１０１，１０２がなすコーナーの丸みは円３０７（３０）で示される直径４０ｍｍであることが読み取れる。
【００６５】
尚、第１径寸法測定部２によって前記鋭角を測定することも可能である。その場合には、例えば、第１径寸法測定部２の第１中心基準位置部２３を天板１００のコーナーの中央に合わせる。その状態のままで、第１中心基準位置部２３を基準としてコーナー寸法測定用ゲージ１をすべらせて、コーナーの丸みと一致する第１径寸法測定部２の円弧２００〜２５９のいずれかを読み取ればよい。
【００６６】
また、天板１００のエッジ１０１，１０２が鈍角を形成するように構成される場合には、例えば、第１径寸法測定部２の一方の直線２１ａを天板１００の一方のエッジ１０１に合わせて測定すればよい。
【００６７】
天板１００に設けられた配線収容空間である配線ダクトの大きさ及び位置を測定する場合には、当該配線ダクトの形状に応じて第２径寸法測定部３或いは直線測定部４などを用いて測定する。
【００６８】
例えば、図７に示すような、天板１００に丸型の配線ダクト１１０が設けられている場合には、第２径寸法測定部３により当該ダクト１１０の円周の寸法に一致する同心円３０を読み取って、当該ダクト１１０の径サイズを測定する。
【００６９】
また、前記配線ダクト１１０の円周上に示される各エッジ１０１，１０２に並行な接線のうち、エッジ１０１，１０２から遠い方の接線をそれぞれ抽出する。抽出した２本の接線の交点から各エッジ１０１，１０２までの長さＬ，Ｗをそれぞれ直線測定部４により測定する。
【００７０】
上述したように、コーナー寸法測定用ゲージ１は、第１径寸法測定部２、第２径寸法測定部３及び直線測定部４を設けているので、複数の形状に対する測定が一つのゲージで可能となるので効率的に測定できる。
【００７１】
ひとつのゲージで複数種類の測定部を備えると効率的になるので好ましいが、上述した各測定部は、どのように組合せて構成されるのであってもよいし、コーナー寸法測定用ゲージ１として、例えば第１径寸法測定部２のみで構成されているのであってもよい。
【００７２】
上述した各測定部における各種の目盛範囲、目盛単位及び目盛数値については設計事項であり、また、例えば目盛単位はインチなどで記されるのであってもよく、実施例に限定されるものではない。
【００７３】
コーナー寸法測定用ゲージ１の素材或いは各種目盛の色は、天板の色に適した色に適宜設定可能である。また、前記ゲージ１の形状は四角形に限定されるものではなく、円形或いは三角形など他の形状であってもよい。
であってもよく特に限定しない。
【００７４】
上述したように、２本の直線２１ａ，２１ｂは直線位置指示部２４によって視認性が向上して、天板のエッジ１０１，１０２に２直線２１ａ，２１ｂを合わせ易くなるので、第１径寸法測定部２に直線位置指示部２４を設けることが好ましい。しかし、例えば、第１径寸法測定部２に直線位置指示部２４を有さずに、コーナー寸法測定用ゲージ１の輪郭のうち直交する２辺が２直線２１ａ，２１ｂを兼ねて構成されるのであってもよい。
【００７５】
また、第１中心基準位置部２３および第２中心基準位置部３３がそれぞれ三角形のマークを有することは、各位置部を認識し易くなるため好ましい。しかし、第１中心基準位置部２３は第１径目盛２２で構成され、第２中心基準位置部３３は第２径目盛３１で構成されているので、第１中心基準位置部２３および第２中心基準位置部３３に三角形のマークを有することは、必須ではない。尚、第１中心基準位置部２３および第２中心基準位置部３３のそれぞれが三角形のマークを有するように説明したが、例えば丸形であってもよく、その形状はこれに限定されるものでない。
【００７６】
上述した第１径寸法測定部２は、円弧２０（２００〜２５９）の一端がそれぞれの直線２１ａ，２１ｂに繋がっているように図示したが、円弧２０（２００〜２５９）と直線２１ａ，２１ｂが繋がっていなくてもよい。
【００７７】
例えば、第１径寸法測定部２は、２直線２１を接線とし、直線２１ａ，２１ｂのいずれにも繋がらないような所定の長さの半径が異なる複数の円弧２０を有するのであってもよい。また、第１径寸法測定部２は、円弧２０の一端のみが直線２１ａ，２１ｂのいずれかと繋がっているのであってもよい。いずれにせよ、コーナー寸法測定用ゲージ１に第１径寸法測定部２を備えることによって、コーナーの丸みを容易に測定できるのである。
【符号の説明】
【００７８】
１…コーナー寸法測定用ゲージ
２…第１径寸法測定部
２０，２００〜２５９…円弧
２１、２１ａ，２１ｂ…直線
２２…第１径目盛
２３…第１中心基準位置部
２４…直線位置指示部
３…第２径寸法測定部
３０…同心円
３１…第２径目盛
３２…角度目盛
３３…第２中心基準位置部
３００〜３２９…円（同心円）
４…直線測定部
４０，４０ａ，４０ｂ…直線
４１…直線目盛
１００…天板
１０１，１０２…エッジ
【図１】
2011191136.tif 000003
【図２】
2011191136.tif 000004
【図３】
2011191136.tif 000005
【図４】
2011191136.tif 000006
【図５】
2011191136.tif 000007
【図６】
2011191136.tif 000008
【図７】
2011191136.tif 000009